(57)【要約】  本発明の目的は、製品包装容器およびその製品包装容器を製造する方法である。製品包装容器は、包装する製品のための凹部（１ａ）を含み、凹部には底部が設けられ、底部に関連する壁も設けられており、この場合、凹部（１ａ）のフレーム部分（２）は、再利用可能な繊維材料からの折り畳みによって形成されており、前記凹部（１ａ）は、前記フレーム部分から取り外し可能な別個の内張り材（３）で内側に内張りされている。フレーム部分の側壁および端壁の上縁ならびにコーナー部分（１０）の上縁が凹部の上縁を形成し、その上縁は、内張り材（３）の固定面として機能するように構成され、内張り材（３）は、凹部（１ａ）の上縁（５ａ）を越えて延在する縁部分（４）を備えるように適合されている。
2019509227.tif 000002
【特許請求の範囲】
【請求項１】
製品包装容器であって、包装する前記製品のための凹部（１ａ）を含み、前記凹部には底部（５）が設けられ、前記底部（５）に関連する壁も設けられており、この場合、前記凹部（１ａ）の前記フレーム部分（２）は、再利用可能な繊維材料からの折り畳みによって形成されており、前記凹部（１ａ）は、前記フレーム部分（２）から取り外し可能な別個の内張り材（３）で前記内側に内張りされており、前記フレーム部分（２）の前記側壁および端壁の前記上縁ならびに前記コーナー部分（１０）の前記上縁が前記凹部（１ａ）の前記上縁（５ａ）を形成し、その上縁（５ａ）は、前記内張り材（３）の固定面として機能するように構成され、この内張り材（３）は、前記凹部（１ａ）の前記上縁（５ａ）を越えて延在する縁部分（４）を備えるように適合されていることを特徴とする、製品包装容器。
【請求項２】
前記内張り材（３）のための前記凹部（１ａ）の前記上縁（５ａ）の前記固定面は前記折り畳み点（７ａ、９ａ）であり、前記上向き壁部分（６、８）は下向き壁部分（７、９）に折り畳まれ、前記凹部（１ａ）のコーナー部分（１０）上の前記固定面は、互いに重なり合うように固定された２つのコーナーピース（１０ａ）の前記上縁であることを特徴とする、請求項１に記載の製品包装容器。
【請求項３】
前記側壁および端壁の前記折り畳み点（７ａ、９ａ）の前記上面ならびに前記コーナー部分（１０）の前記上縁が、前記フレーム部分（２）および同時に前記凹部（１ａ）の前記実質的に一体の上縁（５ａ）を形成することを特徴とする、請求項１または２に記載の製品包装容器。
【請求項４】
前記側壁および端壁の前記上縁ならびに前記コーナー部分（１０）の前記上縁が、前記フレーム部分（２）および同時に前記凹部（１ａ）の前記実質的に一体の上縁（５ａ）を形成することを特徴とする、請求項１、２または３に記載の製品包装容器。
【請求項５】
前記凹部（１ａ）の前記実質的に一体の上縁（５ａ）の前記材料の厚さは、実質的に前記包装容器ブランク（２ａ）の前記材料の厚さの１〜２倍であることを特徴とする、請求項１から４のいずれか一項に記載の製品包装容器。
【請求項６】
前記フレーム部分（２）の前記材料は、再利用可能なボードであることを特徴とする、請求項１から５のいずれか一項に記載の製品包装容器。
【請求項７】
前記製品包装容器（１）が食品包装容器であり、前記内張り材（３）が食品プラスチックであることを特徴とする、請求項１から６のいずれか一項に記載の製品包装容器。
【請求項８】
製品包装容器を製造する方法であって、この製品包装容器（１）は包装する前記製品のための凹部（１ａ）を含み、前記凹部には壁が設けられており、この場合、前記凹部（１ａ）の前記フレーム部分（２）は、再利用可能な繊維材料からの折り畳みによって形成されており、前記凹部（１ａ）は、前記フレーム部分（２）から取り外し可能な別個の内張り材（３）で前記内側に内張りされており、前記製品包装容器（１）の前記蓋（１１）が、前記凹部（１ａ）の前記上縁（５ａ）を越えて延在する前記内張り材（３）の前記部分（４）に固定されることを特徴とする、方法。
【請求項９】
前記製品包装容器（１）の前記蓋（１１）が、ヒートシールまたは他の適切な固定方法で、前記凹部（１ａ）の前記上縁（５ａ）を越えて延在する前記内張り材（３）の前記部分（４）に固定され、前記ヒートシールまたは他の固定を前記内張り材（３）の前記部分（４）上に直接行うことによって固定されることを特徴とする、請求項８に記載の方法。
【請求項１０】
前記内張り材（３）を固定することに関連して、前記凹部（１ａ）の前記上縁（５ａ）を越えて延在する前記内張り材（３）の前記部分（４）が、固定面として機能する前記凹部（１ａ）の前記上縁（５ａ）に対して前記内張り材（３）を引っ張るために使用されることを特徴とする、請求項８または９に記載の方法。
【発明の詳細な説明】
【技術分野】
【０００１】
本発明の目的は、主に再利用可能な繊維材料から製造された請求項１のプリアンブルに示された食品包装容器などの製品包装容器、および請求項９のプリアンブルに示された前記製品包装容器の製造方法である。有利な代替材料は、段ボール、ボードまたは他の適切な再利用可能な繊維材料であり得る。
【背景技術】
【０００２】
当該技術分野では、電子レンジで加熱することができ、または対応することができる、例えば、インスタント食品が包装される様々な食品包装容器が知られている。これらの種類の包装容器のほとんどは、今日は再利用できないプラスチックからもっぱら製造されている。これは大きな環境問題を引き起こす。包装容器のフレームは、いくつかの適切なプラスチックから製造され、別の食品フィルムで内部が内張りされている。包装容器は、所望の量の食品を包装することができるように、適切な形状に成形される。成形はまた、包装容器の上縁の全体を一周する水平な縁フランジを含み、このフランジは、固定面として意図され、包装容器蓋のシール底部として意図され、包装容器蓋により包装容器が充填され、場合によっては中の食品が調理されるとき、ヒートシールによってリークタイトな方法で閉じられる。多くの場合、包装容器内の食品は、インスタント食品として販売するため先に渡すことができる前に、完全に調理しなければならない。調理が高温で行われる場合、包装容器箱のすべてのプラスチックが耐えられるわけではなく、高価な特別なプラスチックを箱に使用しなければならないという問題が生じる。
【０００３】
また、当該分野で公知である食品包装容器は、従来のプラスチック包装容器と同様に、例えばボードからまたはそれに相当するものから製造され、内側が別個の食品フィルムで内張りされる。そのような解決策の１つが、特許文献１に開示される。議論の明細書に記載されたボードから製造された食品包装容器の上縁は、前述したプラスチック包装容器と同様に、蓋を固定するための横方向を向く実質的に水平な平面縁フランジである。包装容器は、フィルムが縁フランジの先端にも来るような方法で、食品フィルムで内側にさらに内張りされる。この解決策における問題は、とりわけ、縁フランジを作ることがボード包装容器の製造を複雑にすることである。
【０００４】
前述の解決策、すなわちプラスチック包装容器およびボード包装容器の両方において、別の問題は、蓋を固定するための縁フランジが包装容器の外形寸法を増加させることであり、その結果、包装容器は、縁フランジがない場合と比較して水平方向に２０％のさらなる空間を占める。多数の包装容器が並べて格納される場合は、空間要求が少ないということは非常に有利である。さらに、縁フランジを有する包装容器は、縁フランジがない包装容器が必要とするよりも多くの材料を必要とし、コストが増大する。
【０００５】
包装容器は十分にリークタイトに蓋を固定することは困難であるため、縁フランジはヒートシールで蓋を締める際に問題を引き起こす可能性もある。ヒートシールが行われるとき、蓋の縁が縁フランジに押し付けられる。しかしながら、すべてのプレスがシール箇所に加えられるわけではなく、代わりにプレスの一部が、プラスチック蓋よりも厚い縁フランジ上のより広い領域に分布するという問題がある。その結果、適切なシールが必ずしも結果として得られるわけではない。縁フランジの厚さもまた変化する可能性があり、シールの成功に影響を及ぼし得る。加熱中にそこに飛び散る汚れや食べ物は、場合によっては縁フランジにも付着することがある。これらの場合のタイプには、シールは必ずしも十分ではない。シールが確実に成功せず、包装容器が十分にリークタイトでない場合、包装容器は別のプラスチックの内部に包まなければならず、材料コストおよび空間要求が増加し、この追加のラッピングがない場合ほど包装容器は外観が簡潔ではない。
【先行技術文献】
【特許文献】
【０００６】
【特許文献１】国際公開第２００９／１３８７８６号
【発明の概要】
【発明が解決しようとする課題】
【０００７】
本発明の目的は、前述の欠点を排除し、空間効率が良く、コスト効率の高い安価で柔軟な製品包装容器を提供することである。目的はまた、製品包装容器を提供することでもあり、その蓋の固定は確実であり、したがって、製品包装容器は、蓋で閉じたときにリークタイトである。本発明による製品包装容器は、請求項１の特徴部分に開示されていることを特徴とする。これに対応して、前述の製品包装容器を製造するための本発明による方法は、請求項９の特徴部分に開示されていることを特徴とする。本発明の他の実施形態は、他の請求項に開示されていることを特徴とする。
【課題を解決するための手段】
【０００８】
好ましくは、本発明による製品包装容器は、包装する製品のための少なくとも１つの凹部を含み、凹部には底部が設けられ、底部に関連する壁も設けられており、この場合、凹部のフレーム部分は、再利用可能な繊維材料からの折り畳みによって形成され、前記凹部は、前記フレーム部分から取り外し可能な別個の内張り材で内側に内張りされている。本発明の特徴は、フレーム部分の側壁および端壁の上縁ならびにコーナー部分の上縁が凹部の上縁を形成し、その上縁は、前記内張り材の固定面として機能するように構成され、内張り材は、凹部の上縁を越えて延在する縁部分（４）を備えるように適合されている。
【０００９】
本発明による方法は、内張り材を固定することに関連して、凹部の上縁を越えて延在する内張り材の部分が、固定面として機能する凹部の上縁に対して内張り材を引っ張るために使用されること、また製品包装容器の蓋が、凹部の上縁を越えて延在する内張り材の部分に固定されることを特徴とする。
【００１０】
本発明による解決策の１つの利点はとりわけ、製品包装容器が再利用可能な材料から主に製造され、これはプラスチック包装容器に関連する環境問題をほぼ完全に排除することである。また、製品包装容器の閉鎖が蓋でしっかりと確実に行われ、これにより包装容器がリークタイトになるという利点もある。これにより、可能性のある追加の包装プラスチックが必要でないという利点が得られる。１つの利点は、本発明による製品包装容器の上縁には、横方向に延びる厚いプラスチック、ボードまたは他の材料で作られた縁フランジがないことであり、その結果、製品包装容器は、同じサイズの凹部を有する当該技術分野において既知の製品包装容器よりも外側寸法が小さい。このことから、製品包装容器は、当該技術分野において既知の包装容器よりも少ない空間を占めるという利点がある。最大２０％の空間を節約することが可能である。縁フランジを省略すると、製造材料が節約され、製品包装容器の製造が容易になる。別の利点はまた、製品包装容器の成形が容易であり、その結果、包装容器のコーナーが、例えば丸みを帯びることができ、その場合包装容器が内側にあるとき、尖ったコーナーが、例えば、ビニール袋を破らない。
【００１１】
以下では、添付の簡略化された図面を参照して、実施形態の一例を用いて本発明をより詳細に説明する。
【図面の簡単な説明】
【００１２】
【図１】本発明による製品包装容器を側面および上方から斜めから見た図を示す。
【図２】製品包装容器に折り畳まれる前の展開したブランクの本発明による製品包装容器の上面図を示す。
【図２ａ】図２による製品包装容器の１つのコーナー断面の正確な縮尺率ではない簡略化した側面図を示す。
【図３】製品包装容器に折り畳まれる前の展開したブランクの本発明による第２製品包装容器の上面図を示す。
【図３ａ】図３による製品包装容器の１つのコーナー断面の正確な縮尺率ではない簡略化した側面図を示す。
【図４】蓋を固定した、本発明による製品包装容器断面の正確な縮尺率ではない簡略化した側面図である。
【図５】蓋を固定した、図２および図４による製品包装容器の１つのコーナー断面の、正確な縮尺率ではない簡略化された側面図である。
【図６】蓋を固定した、図３による製品包装容器の１つのコーナー断面の、正確な縮尺率ではない簡略化された側面図である。
【発明を実施するための形態】
【００１３】
図１は、本発明による製品包装容器１を側面および上方から斜めから見た図であり、図２および図３は、展開した製品包装容器を上方から示す。好ましくは、本発明による製品包装容器１は、例えば、調理済み食料用の食品包装容器である。製品包装容器１は、フレーム部分２と、フレーム部分２の上縁を越えて延在する縁、すなわち縁部分４とを有する内張り材３を備える。フレーム部分２は、底部、２つの側壁、２つの端壁、およびそれらの間のコーナー部分１０を備える。フレーム部分２の製造材料として、適切な再利用可能な繊維材料が使用される。好ましくは、材料は、例えば、段ボール、ボードまたはその他の適切な再利用可能な繊維材料である。内張り材３は食品プラスチックであり、使用後にフレーム部分２から容易に取り外すことができ、その場合にはフレーム部分２を再利用に配送することができる。フレーム部分２は、図２または図３に示されるブランク２ａから図１に示されたその形状に、例えば機械的にそれを折り畳むことによって製造される。ブランク２ａは、所望の形状およびサイズの製品包装容器１が、折り畳むことによって得られるように予め切断され、この製品包装容器には、壁が設けられた凹部１ａを含み、凹部は、食品部分などの包装される食品用である。
【００１４】
図２に示すフレーム部分２のブランク２ａには、底部５と、２つの部分６および７からなる側壁と、また２つの部分８および９からなる端壁と、さらにコーナーピース１０ａがある。ブランク２ａは、側壁および端壁の第１部分、すなわち内側部分６および８が第１方向、すなわち折り畳み点６ａおよび８ａから実質的に上方に折り畳まれ、また側壁および端壁の第２部分すなわち外側部分７および９が第２方向、すなわち折り畳み点７ａおよび９ａから実質的に下方に折り畳まれるように、組み立てられたフレーム部分２に折り畳まれるように配置される。壁の第２部分７および９は、第１部分６および８に取り付けるために折り畳まれ、例えば糊付けによって第１部分６および８に固定される。この場合、側壁の第１部分６および第２部分７は共に製品包装容器１のフレーム部分の側壁を形成し、側壁の厚さはブランク材の厚さの実質的に２倍であり、それに対応して端壁の第１部分８および第２部分９は共に製品包装容器１のフレーム部分の端壁を形成し、端壁の厚さはブランク材の厚さの実質的に２倍である。
【００１５】
フレーム部分２の折り畳みは、ブランク２ａのコーナーピース１０ａが互いに重なり、糊で互いに固定されるように配置されており、この場合、コーナーピース１０ａは、フレーム部分２の側壁と端壁との間にコーナー部分１０を形成する。コーナー部分１０は、本実施形態に示すように湾曲していてもよく、この場合それらは丸みのあるコーナーを形成する。コーナー部分１０は、矩形の箱のように面取りしたコーナーまたは直角コーナーを形成することもできる。
【００１６】
図２ａは、図２に示されたブランク２ａから作られた製品包装容器１の１つのコーナー断面の簡略化した側面図を示す。図２ａは正確な縮尺率で示されておらず、ブランク材の厚さは誇張されている。
【００１７】
ブランク２ａが凹部１ａを含む箱型フレーム部分２に完全に折り畳まれると、側壁の第１部分６と第２部分７ならびに端壁の第１部分８と第２部分９の間の折り畳み点７ａおよび９ａと、コーナー部分１０の上縁とは、フレーム部分２および同時に凹部１ａの実質的に一体の上縁５ａを形成する。フレーム部分２の上縁５ａには、当該技術分野で知られている解決策のように、横方向に延在する縁フランジは存在しないが、実質的に湾曲した、おそらく上方に凸状の折り畳み点７ａおよび９ａのみが存在し、内張り材３の固定面として機能する。
【００１８】
図３に示すフレーム部分２のブランク２ａには、底部５と、１つの部分６からなる側壁と、同様に１つの部分８からなる端壁と、追加的にコーナーピース１０ａとがある。ブランク２ａは、側壁および端壁を形成する部分６および８が折り畳み点６ａおよび８ａから実質的に上方に折り畳まれるように、組み立てられたフレーム部分２に折り畳まれるように配置され、この場合、凹部１ａを有する箱型フレーム部分２が形成され、このフレーム部分の底部５の厚さおよび側壁および端壁の厚さは、ブランク材の厚さと実質的に同じである。
【００１９】
図３ａは、図３に示されるブランク２ａから作られた製品包装容器１の１つのコーナー断面の簡略化した側面図を示す。図３ａは、正確な縮尺で示されておらず、ブランク材の厚さは誇張されている。
【００２０】
ブランク２ａが凹部１ａを含む箱型フレーム部分２に完全に折り畳まれると、側壁６および端壁８の自由端、すなわち上縁と、コーナー部分１０の上縁とは、フレーム部分２および同時に凹部１ａの実質的に一体の上縁５ａを形成する。フレーム部分２の上縁５ａには、当該技術分野において知られている解決策のように、側方方向に延在する縁フランジは存在しないが、内張り材３を固定するための実質的にブランクの材料の厚さの固定面のみである。
【００２１】
図４〜６は、蓋１１が所定の位置に固定された、本発明による製品包装容器１断面の簡略化した側面図を示す。製品包装容器１は一定の縮尺で示されておらず、明確にするために、材料の厚さは通常よりも厚く示されている。図４〜図６において、製品包装容器１の上縁５ａの外側に延在する内張り材３および蓋１１の部分は、明瞭化のために水平断面として示されているが、実際には、蓋１１の材料が許す限り下方に曲がることが多い。蓋１１の材料が薄く柔らかい場合、製品包装容器１が通常の位置、例えばテーブルまたは他の平面上にあるとき、上縁５ａの上記外側部分は、ほぼ垂直に下方に曲がる。内張り材３および蓋１１は、それ自体で下方に曲がらないが、代わりにそれらは意図的に下方に折り畳まれ、実質的に水平のままであるか、あるいは斜めにまたは直角に上方に折り畳まれるように作ることができる。
【００２２】
プラスチック製の内張り材３は、フレーム部分２に固定されており、包装容器を蓋１１と共に気密にするように構成されている。内張り材３の固定は、例えば、負圧がフレーム部分２の下方に形成され、正圧がフレーム部分２の上方に形成されるように実行される。負圧によって、その底面に接着剤を有する内張り材３は、フレーム部分２の内側表面に取り付けるために吸引されるように構成されている。これは、負圧によってフレーム部分２を介して、フレーム部分２とその内部に配置された内張り材３との間から空気を吸い出すことによって行われる。包装容器の上の正圧は、固定をさらに助ける。上述した方法では、内張り材３は、フレーム部分２の内側表面にリークタイトに取り付けられている。
【００２３】
上述したように、フレーム部分２は、側方に延びる縁フランジを全く有さない。代わりに、内張り材３は、フレーム部分２の上縁５ａを越えて延在し、縁フランジに似た実質的に狭い縁４を形成するように寸法決めされる。製品包装容器１の蓋１１は、例えば、ヒートシールまたは他の適切な固定方法によって、この縁４に固定されるように配置されている。内張り材３の薄いプラスチック上に直接ヒートシールを行うことは、プラスチックの下により厚い縁フランジがある場合と比較して、かなり容易で信頼性が高い。これは、圧縮力を接合部に直接加えることができるためであり、その場合、接合部上に及ぼされる圧縮力は信頼できるリークタイトな接合部を達成するのに確実に十分である。
【００２４】
図６は、図３および図３ａにも示されている、本発明の１つの好ましい実施形態による構造を示す。この構造は、とりわけ、図４および図５の構造と異なり、材料の単一の層のみが製品包装容器の側壁および端壁にあり、すなわち壁部分６および８のみが実質的に底部５から上方に曲がり、側壁部分６の１つのみが図６に示されている。内張り材３は、図５の構造と実質的に同じ方法で、フレーム部分２の内側表面および上縁５ａに固定される。同様に、蓋１１は、図５による構造と実質的に同じ方法で内張り材３の上面に固定される。
【００２５】
前述したように、凹部１ａの上縁５ａには、側方方向に延在する縁フランジは存在しないが、内張り材３を固定するための実質的にブランク２ａの材料の厚さによって決定される固定面のみである。この場合、凹部１ａの実質的に一体の上縁５ａの材料の厚さは、製品包装容器１の壁の構造に依存して、実質的に包装容器ブランク２ａの材料の厚さの１〜２倍である。
【００２６】
本発明は上記の例にのみ限定されるものではなく、以下に示す特許請求の範囲内で変更可能であることは、当業者には明らかである。したがって、例えば、いくつかの構造的解決策は、上に提示されたものとは異なることもある。この場合、例えば、図２、図２ａ、図４および図５に示されるフレーム部分の側壁および端壁の外層は、実質的に内層よりも狭くすることができ、この場合、外層は壁の上縁から短い距離だけ下方に延びているが、壁の上縁を強化し、内張り材のために１つの壁層よりも広い固定面を可能にするのに十分に遠く下方に延びる。
【００２７】
当業者であれば、製品包装容器はまた、上に提示したものと形状が異なっていてもよいことは明らかである。製品包装容器の最も単純で最も一般的なフレーム部分は、すべての図の実施形態として示される矩形である。しかしながら、包装容器の形状は、箱の矩形形状以外であってもよい。したがって、形状は、例えば、ブランクに予め製作された折り線に依存して、多角形または円形または楕円形であってもよい。
【００２８】
当業者であればさらに、製品包装容器は、再利用可能な繊維材料以外の材料であってもよいことは明らかである。したがって、製品包装容器のフレーム部分は、段ボール以外の折り畳み可能な材料から製造することができる。製品包装容器のフレーム部分は、例えば、異なるボード、ボール紙または紙から、あるいは織り材料から、あるいは異なる材料の組み合わせから製造することができる。
【図１】
2019509227.tif 000003
【図２】
2019509227.tif 000004
【図２ａ】
2019509227.tif 000005
【図３】
2019509227.tif 000006
【図３ａ】
2019509227.tif 000007
【図４】
2019509227.tif 000008
【図５】
2019509227.tif 000009
【図６】
2019509227.tif 000010
【手続補正書】
【提出日】平成30年11月15日(2018.11.15)
【手続補正１】
【補正対象書類名】特許請求の範囲
【補正対象項目名】全文
【補正方法】変更
【補正の内容】
【特許請求の範囲】
【請求項１】
製品包装容器であって、包装する前記製品のための凹部（１ａ）を含み、前記凹部には底部（５）が設けられ、前記底部（５）に関連する壁も設けられており、その場合、前記凹部（１ａ）のフレーム部分（２）は、再利用可能な繊維材料からの折り畳みによって形成されており、前記凹部（１ａ）は、前記フレーム部分（２）から取り外し可能な別個の内張り材（３）で内側に内張りされており、
前記フレーム部分（２）の側壁および端壁の複数の上縁ならびにコーナー部分（１０）の複数の上縁が前記凹部（１ａ）の上縁（５ａ）を形成し、その上縁（５ａ）は、前記内張り材（３）の固定面として機能するように構成され、その内張り材（３）は、前記凹部（１ａ）の前記上縁（５ａ）を越えて延在する縁部分（４）を備えるように適合されていることを特徴とする、製品包装容器。
【請求項２】
前記内張り材（３）のための前記凹部（１ａ）の前記上縁（５ａ）の前記固定面は折り畳み点（７ａ、９ａ）であり、前記折り畳み点で、上向き壁部分（６、８）は下向き壁部分（７、９）に折り畳まれ、前記凹部（１ａ）の前記コーナー部分（１０）上の前記固定面は、互いに重なり合うように固定された２つのコーナーピース（１０ａ）の前記複数の上縁であることを特徴とする、請求項１に記載の製品包装容器。
【請求項３】
前記側壁および端壁の前記折り畳み点（７ａ、９ａ）の上面ならびに前記コーナー部分（１０）の前記複数の上縁が、前記フレーム部分（２）および同時に前記凹部（１ａ）の実質的に一体の前記上縁（５ａ）を形成することを特徴とする、請求項１または２に記載の製品包装容器。
【請求項４】
前記側壁および端壁の前記複数の上縁ならびに前記コーナー部分（１０）の前記複数の上縁が、前記フレーム部分（２）および同時に前記凹部（１ａ）の実質的に一体の前記上縁（５ａ）を形成することを特徴とする、請求項１、２または３に記載の製品包装容器。
【請求項５】
前記凹部（１ａ）の実質的に一体の前記上縁（５ａ）の前記材料の厚さは、実質的に包装容器ブランク（２ａ）の前記材料の厚さの１〜２倍であることを特徴とする、請求項１から４のいずれか一項に記載の製品包装容器。
【請求項６】
前記フレーム部分（２）の前記材料は、再利用可能なボードであることを特徴とする、請求項１から５のいずれか一項に記載の製品包装容器。
【請求項７】
前記製品包装容器（１）が食品包装容器であり、前記内張り材（３）が食品プラスチックであることを特徴とする、請求項１から６のいずれか一項に記載の製品包装容器。
【請求項８】
製品包装容器を製造する方法であって、その製品包装容器（１）は包装する前記製品のための凹部（１ａ）を含み、前記凹部には壁が設けられており、その場合、前記凹部（１ａ）のフレーム部分（２）は、再利用可能な繊維材料からの折り畳みによって形成されており、前記凹部（１ａ）は、前記フレーム部分（２）から取り外し可能な別個の内張り材（３）で内側に内張りされており、
前記製品包装容器（１）の蓋（１１）が、前記凹部（１ａ）の上縁（５ａ）を越えて延在する前記内張り材（３）の縁部分（４）に固定されることを特徴とする、方法。
【請求項９】
前記製品包装容器（１）の前記蓋（１１）が、ヒートシールまたは他の適切な固定方法で、前記凹部（１ａ）の前記上縁（５ａ）を越えて延在する前記内張り材（３）の前記部分（４）に固定され、前記ヒートシールまたは他の固定を前記内張り材（３）の前記部分（４）上に直接行うことによって固定されることを特徴とする、請求項８に記載の方法。
【請求項１０】
前記内張り材（３）を固定することに関連して、前記凹部（１ａ）の前記上縁（５ａ）を越えて延在する前記内張り材（３）の前記部分（４）が、固定面として機能する前記凹部（１ａ）の前記上縁（５ａ）に対して前記内張り材（３）を引っ張るために使用されることを特徴とする、請求項８または９に記載の方法。
【国際調査報告】
2019509227.tif 000011
2019509227.tif 000012
2019509227.tif 000013
2019509227.tif 000014
2019509227.tif 000015